(57)【要約】【課題】ＶＶＦケーブルやＩＶ線などを電源端子部に接続することで外部電源と接続されるような装置を、絶縁性に優れた電源コード付き装置とほぼ同じ使い方で、使用可能とする。【解決手段】複数の電線接続用端子２２０によりなる電源端子部２２が設けられ、その電源端子部２２に外部電源を接続することにより動作可能となる装置２に接続コード１を使用した。接続コード１は、互いに絶縁された複数の導体線１１１を含み一端側で外部電源と電気的に接続されるコード１１と、このコード１１の他端に、ここに一体化されるコードブッシュ１２にて固定されるボディ１３と、このボディ１３の内部で複数の導体線１１１とそれぞれ電気的に接続され各一部がボディ１３から突出する複数の棒状端子１４とにより構成され、これら複数の棒状端子１４が複数の電線接続用端子２２０に接続されることにより、外部電源を電源端子部２２に電気的に接続する。【選択図】　図１
2004039303.tif 000002
【特許請求の範囲】
【請求項１】
複数のジャック式の電線接続用端子によりなる電源端子部が設けられ、その電源端子部に外部電源を接続することにより動作可能となる装置に使用される接続コードであって、互いに絶縁された複数の導体線を含み一端側で前記外部電源と電気的に接続されるコードと、このコードの他端に固定されるボディと、このボディの内部で前記複数の導体線とそれぞれ電気的に接続され各一部が前記ボディから突出する複数の棒状端子とにより構成され、これら複数の棒状端子が前記複数の電線接続用端子に接続されることにより、前記外部電源を前記電源端子部に電気的に接続することを特徴とする接続コード。
【請求項２】
前記複数の棒状端子は前記ボディの一の面に突設され、前記ボディは、前記複数の棒状端子が突設されている一の面と直交する少なくとも一つの面に、前記装置の筐体の一部が填り込む固定溝が形成されていることを特徴とする請求項１記載の接続コード。
【請求項３】
前記複数の棒状端子は前記ボディの一の面に突設され、前記ボディは、前記複数の棒状端子が突設されている一の面と直交する他の面で、コードブッシュにて前記コードの他端に固定されていることを特徴とする請求項１記載の接続コード。
【請求項４】
前記ボディは、各側面による厚み寸法がこれら各側面を挟む両面による幅および奥行きの各寸法より小さい平角状に形成され、前記両面のうち一の面に前記複数の棒状端子が突設され、前記各側面のうち一の側面で前記コードがコードブッシュにて固定されていることを特徴とする請求項１記載の接続コード。
【請求項５】
複数のジャック式の電線接続用端子によりなる電源端子部が設けられ、その電源端子部に外部電源を接続することにより動作可能となる装置であって、請求項１から４のいずれかに記載の接続コードを備えることを特徴とする装置。
【発明の詳細な説明】
【０００１】
【発明の属する技術分野】
本発明は、複数のジャック式の電線接続用端子によりなる電源端子部が設けられ、その電源端子部に外部電源を接続することにより動作可能となる装置に使用される接続コードおよびこれを備える装置に関するものである。
【０００２】
【従来の技術】
図９に従来の電源コードおよびこれを使用する装置の各一部の斜視図を示す。従来、様々な装置には、図９に示すように、図外の一端に電源プラグが取り付けられた電源コード８が使用されている。この電源コード８の他端は、装置のケース２０ａ内に収納されるプリント基板ＰＣに半田付けされ、他端側に一体に取り付けられたコードブッシュ８２をケース２０ａの溝２００ａに填め込むことにより、ケース２０ａなどにより構成される筐体に固定されるようになっている。なお、電源コード８の他端にコネクタが設けられ、このコネクタによりプリント基板と電気的に接続される場合もある。
【０００３】
図１０にコードおよびこれを使用する装置の各一部の斜視図を示す。この図１０における装置２は、複数（図１０では一対）のジャック式の電線接続用端子２２０によりなる電源端子部２２がカバー２０および裏板２１によりなる筐体の一の面に設けられ、電源端子部２２に図略の外部電源を接続することにより動作可能となるものである。この装置２の場合には、図外の一端で外部電源に接続されたコード９が使用され、このコード９の他端は、電線接続用端子２２０に対して脱着可能な棒状の圧着端子９４となっており、各圧着端子９４には絶縁被覆９５が施されている。
【０００４】
【発明が解決しようとする課題】
上記電源コードを持たない装置の場合、ＶＶＦケーブルやＩＶ線などを電源端子部に接続することになるが、圧着端子の加工が手間であるほか、絶縁被覆がずれるなどの問題があり、このような装置を、絶縁性に優れた電源コード付き装置と同じ使い方ができるようにすることは困難であった。
【０００５】
本発明は、上記事情に鑑みてなされたものであり、例えばＶＶＦケーブルやＩＶ線などを電源端子部に接続することで外部電源と接続されるような装置を、絶縁性に優れた電源コード付き装置とほぼ同じ使い方で、使用可能とする接続コードおよびこれを備える装置を提供することを目的とする。
【０００６】
【課題を解決するための手段】
上記課題を解決するための請求項１記載の発明は、複数のジャック式の電線接続用端子によりなる電源端子部が設けられ、その電源端子部に外部電源を接続することにより動作可能となる装置に使用される接続コードであって、互いに絶縁された複数の導体線を含み一端側で前記外部電源と電気的に接続されるコードと、このコードの他端に固定されるボディと、このボディの内部で前記複数の導体線とそれぞれ電気的に接続され各一部が前記ボディから突出する複数の棒状端子とにより構成され、これら複数の棒状端子が前記複数の電線接続用端子に接続されることにより、前記外部電源を前記電源端子部に電気的に接続することを特徴とする。
【０００７】
請求項２記載の発明は、請求項１記載の接続コードにおいて、前記複数の棒状端子は前記ボディの一の面に突設され、前記ボディは、前記複数の棒状端子が突設されている一の面と直交する少なくとも一つの面に、前記装置の筐体の一部が填り込む固定溝が形成されていることを特徴とする。
【０００８】
請求項３記載の発明は、請求項１記載の接続コードにおいて、前記複数の棒状端子は前記ボディの一の面に突設され、前記ボディは、前記複数の棒状端子が突設されている一の面と直交する他の面で、コードブッシュにて前記コードの他端に固定されていることを特徴とする。
【０００９】
請求項４記載の発明は、請求項１記載の接続コードにおいて、前記ボディは、各側面による厚み寸法がこれら各側面を挟む両面による幅および奥行きの各寸法より小さい平角状に形成され、前記両面のうち一の面に前記複数の棒状端子が突設され、前記各側面のうち一の側面で前記コードがコードブッシュにて固定されていることを特徴とする。
【００１０】
請求項５記載の発明は、複数のジャック式の電線接続用端子によりなる電源端子部が設けられ、その電源端子部に外部電源を接続することにより動作可能となる装置であって、請求項１から４のいずれかに記載の接続コードを備えることを特徴とする。
【００１１】
【発明の実施の形態】
（第１実施形態）
図１は本発明に係る第１実施形態の接続コードおよびこれを備える装置の各一部を示す斜視図、図２は同接続コードを装置に接続した様子を示す図、図３は同接続コードの平面図である。
【００１２】
第１実施形態の接続コード１は、図１〜図３に示すように、複数（図１では一対）のジャック式（電線差込み式）の電線接続用端子２２０によりなる電源端子部２２がカバー２０および裏板２１によりなる筐体の一の面（図３（ｂ）では下側面）に設けられ、電源端子部２２に図略の外部電源を接続することにより動作可能となる装置２に使用されている。
【００１３】
この装置２は、複数のモジュラジャック２００を正面に備え、マルチメディアポートと呼ばれる盤内に一の内器として収容されるハブ装置である（例えば特開２００１−１８６１６１公報参照）。ここで、各電線挿入孔２２０ａに芯線を挿入することにより、速結端子からなる各電線接続用端子２２０にその芯線が電気的、機械的に接続され、解除釦（図示せず）を押すことにより、速結端子に鎖錠されている芯線を外すことができるようになっている。なお、図２（ｂ）中の２０１は電源スイッチである。
【００１４】
他方、接続コード１は、互いに絶縁された複数（一対）の導体線１１１を含み図外の一端側で外部電源と電気的に接続されるコード１１と、このコード１１の他端に、ここに一体化されるコードブッシュ１２にて固定されるボディ１３と、このボディ１３の内部で複数の導体線１１１とそれぞれ電気的に接続され各一部がボディ１３から突出する複数（一対）の棒状端子１４とにより構成され、これら複数の棒状端子１４が複数の電線接続用端子２２０に接続されることにより、外部電源を電源端子部２２に電気的に接続するものである。
【００１５】
ここで、ボディ１３は、各側面（図１などの例では側面は６つ）による厚み寸法Ｔがこれら各側面を挟む両面１３０，１３１による幅寸法Ｗおよび奥行き寸法Ｄより小さい平角状に形成され、それら各側面のうち一の側面１３２に複数の棒状端子１４が突設され、その一の側面１３２と対向する他の側面１３３でコードブッシュ１２にてコード１１の他端に固定されている。
【００１６】
なお、コード１１の一端側は、そのまま外部電源と接続されている構成や、通常の電源プラグが設けられている構成などでもよい。また、電源端子部２２の各電線接続用端子２２０は、鎖状ばねなどにより構成される速結端子に限らず、例えば刃受けばねなど、接続コード１の各棒状端子１４と電気的に接続することができるものであればよい。
【００１７】
このような接続コード１によれば、複数の棒状端子１４が突出するボディ１３を持って、その各棒状端子１４を装置２の電源端子部２２における各電線接続用端子２２０に接続することができるので、例えばＶＶＦケーブルやＩＶ線などを電源端子部２２に接続することで外部電源と接続されるような装置２を、絶縁性に優れた電源コード付き装置とほぼ同じ使い方で、使用することができる。
【００１８】
また、接続コード１を備える装置２によれば、図１（ｂ）に示すように、例えばＶＶＦケーブルやＩＶ線など（図ではＩＶ線）を電源端子部２２に接続することで外部電源と接続することができる（従来と同様の使用が可能になる）ほか、図１（ａ）に示すように、絶縁性に優れた電源コード付き装置とほぼ同じ使い方で、使用することができる。なお、本発明の装置は、ハブ装置である装置２に限らず、他の装置であってもよいことは言うまでもなく、複数のジャック式の電線接続用端子によりなる電源端子部が設けられ、その電源端子部に外部電源を接続することにより動作可能となる装置であって、例えば第１実施形態（または後述の各実施形態）の接続コードを備えるものであればよい。
【００１９】
（第２実施形態）
図４は本発明に係る第２実施形態の接続コードの一部を示す平面図である。ただし、本発明に係る第２実施形態の装置については、第１実施形態のそれとほぼ同様であり、筐体の一部が後述する固定溝に填り込む形状（例えばカバーにコ字状の溝を有する形状）になっているものとする。
【００２０】
第２実施形態の接続コード１Ａは、図４に示すように、コード１１と、ボディ２３と、複数の棒状端子１４とにより構成され、コード１１の他端にコードブッシュ１２にて固定されるボディ２３の構造が第１実施形態のボディ１３の構造と相違している。
【００２１】
すなわち、ボディ２３は、第１実施形態と同様に、各側面による厚み寸法がこれら各側面を挟む両面２３０，２３１による幅および奥行きの各寸法より小さい平角状に形成され、それら各側面のうち一の側面２３２に複数の棒状端子１４が突設され、その一の側面２３２と対向する他の側面２３３でコードブッシュ１２にてコード１１の他端に固定されているが、第１実施形態との相違点として、その一の側面２３２と直交する面に、装置の筐体の一部が填り込む固定溝が形成されている。
【００２２】
図４の例では、ボディ２３は、複数の棒状端子１４が突設されている一の側面２３２と直交する各面のうち、面２３０および側面２３４の各棒状端子１４側にそれぞれ固定溝２３０ａおよび固定溝２３４ａを有する構造になっている。
【００２３】
このような接続コード１Ａおよびこれを備える装置によれば、複数の棒状端子１４と複数の電線接続用端子との接続による固定に加えて、固定溝２３０ａ，２３４ａに装置の筐体の一部が填り込むことでボディ２３が装置の筐体に固定されるから、接続コード１Ａの引っ張りおよび押し込み等に対する保持力を強化することができる。
【００２４】
なお、第２実施形態では、ボディ２３は、複数の棒状端子１４が突設されている一の側面２３２と直交する２つの面２３０，２３４に、それぞれ固定溝２３０ａ，２３４ａが形成される構造になっているが、本発明のボディは、これに限らず、複数の棒状端子が突設されている一の面と直交する少なくとも一つの面に、装置の筐体の一部が填り込む固定溝が形成される構造であればよい。
【００２５】
（第３実施形態）
図５は本発明に係る第３実施形態の接続コードの一部を示す平面図、図６は同接続コードを本発明に係る第３実施形態の装置に接続した様子を示す図である。
【００２６】
第３実施形態の接続コード１Ｂは、図５に示すように、コード１１と、ボディ３３と、複数の棒状端子１４とにより構成され、コード１１の他端にコードブッシュ１２にて固定されるボディ３３の構造が第２実施形態のボディ２３の構造と相違している。
【００２７】
すなわち、ボディ３３は、各側面（図では４つ）による厚み寸法がこれら各側面を挟む両面（図では一方の３３０のみ図示）による幅および奥行きの各寸法より小さい平角状に形成され、それら各側面のうち一の側面３３２に複数の棒状端子１４が突設されているが、第２実施形態との相違点として、その一の側面３３２と直交する他の側面３３４でコードブッシュ１２にてコード１１の他端に固定されている。
【００２８】
この他のボディ３３の構造については第２実施形態のそれと同様であり、ボディ３３は、複数の棒状端子１４が突設されている一の側面３３２と直交する各面のうち、面３３０および側面３３４の各棒状端子１４側にそれぞれ固定溝３３０ａおよび固定溝３３４ａを有する構造になっている。また、第３実施形態の装置２の筐体の一部は、固定溝３３０ａ，３３４ａに填り込む形状（例えばカバーにコ字状の溝を有する形状）になっている。
【００２９】
このような接続コード１Ｂおよびこれを備える装置２によれば、第２実施形態と同様の効果を奏することができるほか、装置の電源端子部のある一の面に沿って接続コード１Ｂを引き回すことができるため、電源端子部のある一の面が、周囲の壁面や、図６に示すように装置２を収容する盤３の内壁３０などと対面する場合でも、接続コード１Ｂを負荷無く引き回すことができる。
【００３０】
（第４実施形態）
図７は本発明に係る第４実施形態の接続コードの一部を示す平面図、図８は同接続コードを本発明に係る第４実施形態の装置に接続した場合の効果を説明するための図である。
【００３１】
第４実施形態の接続コード１Ｃは、図７に示すように、コード１１と、ボディ４３と、複数の棒状端子１４とにより構成され、コード１１の他端にコードブッシュ１２にて固定されるボディ４３の構造が第１実施形態のボディ１３の構造と相違している。
【００３２】
すなわち、ボディ４３は、各側面（図では４つ）による厚み寸法がこれら各側面を挟む両面４３０，４３１による幅および奥行きの各寸法より小さい平角状に形成され、両面４３０，４３１のうち一の面４３１に複数の棒状端子１４が突設され、上記各側面のうち一の側面４３３でコード１１がコードブッシュ１２にて固定されている。
【００３３】
他方、装置２Ａは、図８に示すように、壁取付用の装置であり、プリント基板に実装された電源端子部２２が壁面Ｗ側から接続される配置になっている。
【００３４】
このような接続コード１Ｃによれば、図８（ａ）に示すように、装置２Ａが壁取付用であって電源端子部２２が壁面Ｗ側から接続される配置になっている場合に、図８（ｂ）に示すように、コード１１を壁面Ｗに沿って負荷無く引き回すことが可能となる。
【００３５】
接続コード１Ｃを備える装置２Ａによれば、上記効果に加え、図８（ａ）に示すように、例えばＶＶＦケーブルやＩＶ線などの電線Ｃを電源端子部２２に接続することで外部電源と接続することができるほか、図８（ｂ）に示すように、絶縁性に優れた電源コード付き装置とほぼ同じ使い方で、使用することができる。
【００３６】
【発明の効果】
以上のことから明らかなように、請求項１記載の発明は、複数のジャック式の電線接続用端子によりなる電源端子部が設けられ、その電源端子部に外部電源を接続することにより動作可能となる装置に使用される接続コードであって、互いに絶縁された複数の導体線を含み一端側で前記外部電源と電気的に接続されるコードと、このコードの他端に固定されるボディと、このボディの内部で前記複数の導体線とそれぞれ電気的に接続され各一部が前記ボディから突出する複数の棒状端子とにより構成され、これら複数の棒状端子が前記複数の電線接続用端子に接続されることにより、前記外部電源を前記電源端子部に電気的に接続するので、複数の棒状端子が突出するボディを持って、その各棒状端子を装置の電源端子部における各電線接続用端子に接続することができるため、例えばＶＶＦケーブルやＩＶ線などを電源端子部に接続することで外部電源と接続されるような装置を、絶縁性に優れた電源コード付き装置とほぼ同じ使い方で、使用することができる。
【００３７】
請求項２記載の発明は、請求項１記載の接続コードにおいて、前記複数の棒状端子は前記ボディの一の面に突設され、前記ボディは、前記複数の棒状端子が突設されている一の面と直交する少なくとも一つの面に、前記装置の筐体の一部が填り込む固定溝が形成されているので、複数の棒状端子と複数の電線接続用端子との接続による固定に加えて、固定溝に装置の筐体の一部が填り込むことでボディが装置の筐体に固定されるから、接続コードの引っ張りおよび押し込み等に対する保持力を強化することができ、絶縁性に優れた電源コード付き装置と同様の安全性能が得られる。
【００３８】
請求項３記載の発明は、請求項１記載の接続コードにおいて、前記複数の棒状端子は前記ボディの一の面に突設され、前記ボディは、前記複数の棒状端子が突設されている一の面と直交する他の面で、コードブッシュにて前記コードの他端に固定されているので、装置の電源端子部のある一の面に沿って接続コードを引き回すことができるため、電源端子部のある一の面が、周囲の壁面や、装置を収容する盤の内壁などと対面する場合でも、接続コードを負荷無く引き回すことができる。
【００３９】
請求項４記載の発明は、請求項１記載の接続コードにおいて、前記ボディは、各側面による厚み寸法がこれら各側面を挟む両面による幅および奥行きの各寸法より小さい平角状に形成され、前記両面のうち一の面に前記複数の棒状端子が突設され、前記各側面のうち一の側面で前記コードがコードブッシュにて固定されているので、例えば、装置が壁取付用であって電源端子部が壁面側から接続される配置になっている場合に、コードを壁面に沿って負荷無く引き回すことが可能となる。
【００４０】
請求項５記載の発明は、複数のジャック式の電線接続用端子によりなる電源端子部が設けられ、その電源端子部に外部電源を接続することにより動作可能となる装置であって、請求項１から４のいずれかに記載の接続コードを備えるので、この接続コードを取り外して、例えばＶＶＦケーブルやＩＶ線などを電源端子部の各電線接続用端子に差し込むことで、外部電源と接続することができる（従来と同様の使用が可能になる）ほか、接続コードを備えた状態では、絶縁性に優れた電源コード付き装置とほぼ同じ使い方で、使用することができる。
【図面の簡単な説明】
【図１】本発明に係る第１実施形態の接続コードおよびこれを備える装置の各一部を示す斜視図である。
【図２】同接続コードを装置に接続した様子を示す図である。
【図３】同接続コードの平面図である。
【図４】本発明に係る第２実施形態の接続コードの一部を示す平面図である。
【図５】本発明に係る第３実施形態の接続コードの一部を示す平面図である。
【図６】同接続コードを本発明に係る第３実施形態の装置に接続した様子を示す図である。
【図７】本発明に係る第４実施形態の接続コードの一部を示す平面図である。
【図８】同接続コードを本発明に係る第４実施形態の装置に接続した場合の効果を説明するための図である。
【図９】従来の電源コードおよびこれを使用する装置の各一部を示す斜視図である。
【図１０】コードおよびこれを使用する装置の各一部を示す斜視図である。
【符号の説明】
１，１Ａ，１Ｂ，１Ｃ　接続コード
１１　コード
１２　コードブッシュ
１３，２３，３３，４３　ボディ
１４　棒状端子
２　装置
２０　カバー
２１　裏板
２２　電源端子部
２２０　電線接続用端子
【図１】
2004039303.tif 000003
【図２】
2004039303.tif 000004
【図３】
2004039303.tif 000005
【図４】
2004039303.tif 000006
【図５】
2004039303.tif 000007
【図６】
2004039303.tif 000008
【図７】
2004039303.tif 000009
【図８】
2004039303.tif 000010
【図９】
2004039303.tif 000011
【図１０】
2004039303.tif 000012